(57)【要約】【課題】  スクリーン装置において可動框の平行移動機構を含むスクリーンの組付け、交換を簡単且つ容易にする。【解決手段】  折り畳みにより拡縮自在としたスクリーン１を可動框１５により開閉自在とし、該可動框にワイヤー５による平行移動機構を付設したスクリーン装置において、スクリーン１の両端に固定板２，３を取り付け、固定板２を側枠１１に着脱自在に固定し、上記ワイヤーは、該側枠自体に固定または挿通することなく、上記固定板２に固定またはそこで折り返して転向させ、可動框１５から対向枠１４側に伸びるワイヤーは該対向枠の近辺の横枠１２，１３に着脱自在とする。可動框１５においては、それ自体にワイヤー５を挿通または固定することなく、固定板３に沿ってワイヤーを転向させ、固定板２，３を取り付けたスクリーン１を上記ワイヤー５と共にスクリーン枠１０に着脱自在とする。【選択図】        図１
2006183419.tif 000002
【特許請求の範囲】
【請求項１】
建物開口部に設置するスクリーン枠の側枠に、折り畳みにより拡縮自在としたスクリーンの一端を連結すると共に、該スクリーンの他端を、上記スクリーン枠にガイドさせた開閉操作用の可動框に連結して開閉自在とし、上記可動框を平行移動させるためのワイヤーを上記スクリーンに対してその拡縮方向に向けて挿通してなる平行移動機構を備えたスクリーン装置において、
上記スクリーンの両端に固定板を取り付け、該スクリーンの一端の固定板をスクリーン枠の側枠に着脱自在に固定し、
スクリーンに挿通して上記側枠側に伸びる上記ワイヤーは、該側枠自体に固定または挿通することなく、上記固定板に固定または該固定板において折り返して転向させ、
可動框からそれに対向する対向枠側に伸びるワイヤーは該対向枠またはその近辺の横枠に対して着脱自在とし、
上記可動框においては、スクリーンの端部に設けた固定板を着脱自在に取り付ける可動框自体にはワイヤーを挿通または固定することなく、上記固定板に沿ってワイヤーを転向させ、
上記固定板を取り付けたスクリーンを、上記平行移動機構を構成するワイヤーと共に、上記可動框をガイドするスクリーン枠の横枠に対して着脱自在とした、
ことを特徴とするスクリーン装置。
【請求項２】
可動框からそれに対向する対向枠側に伸びるワイヤーを、該対向枠またはその近辺の横枠に対して着脱自在の転向子に巻き掛け、該転向子は、そこで折り返すワイヤーが伸びている方向に旋回の軸線を向けて上記対向枠または横枠に旋回自在に支持させている、
ことを特徴とする請求項１に記載のスクリーン装置。
【請求項３】
建物開口部に設置するスクリーン枠の側枠に、折り畳みにより拡縮自在としたスクリーンの一端を連結すると共に、該スクリーンの他端を、上記スクリーン枠にガイドさせた開閉操作用の可動框に連結して開閉自在とし、上記可動框を平行移動させるためのワイヤーを上記スクリーンに対してその拡縮方向に向けて挿通してなる平行移動機構を備えたスクリーン装置において、
上記スクリーンの両端に固定板を取り付け、該スクリーンの一端の固定板をスクリーン枠の側枠に着脱自在に固定し、
スクリーンに挿通して上記側枠側に伸びる上記ワイヤーは、該側枠自体に固定または挿通することなく、上記固定板に固定または該固定板において折り返して転向させ、
可動框からそれに対向する対向枠側に伸びるワイヤーはスクリーン枠の一部と共に該枠から着脱自在とし、
上記可動框においては、スクリーンの端部に設けた固定板を着脱自在に取り付ける可動框自体にはワイヤーを挿通または固定することなく、上記固定板に沿ってワイヤーを転向させ、
上記固定板を取り付けたスクリーンを、上記平行移動機構を構成するワイヤーと共に、上記可動框をガイドするスクリーン枠の横枠に対して着脱自在とした、
ことを特徴とするスクリーン装置。
【発明の詳細な説明】
【技術分野】
【０００１】
本発明は、建物開口部に、防虫、遮光、断熱等のために取り付けるスクリーン装置に関するものであり、更に具体的には、スクリーン枠に一端を保持させたスクリーンを、それに挿通したワイヤー利用の平行移動機構により平行移動する可動框で開閉できるようにしたスクリーン装置において、上記スクリーンを交換等のためにワイヤーと共にスクリーン枠から容易に離脱できるようにした機構に関するものである。
【背景技術】
【０００２】
スクリーン装置として、スクリーンの両端に固定板を取り付けてそれらを側枠と可動框に着脱自在とし、該スクリーンに挿通した平行移動機構を構成する複数のワイヤーと共に該スクリーンをスクリーン枠から取り外しできるようにしたものは、特許文献１において既に知られている。
しかしながら、該特許文献１のスクリーン装置では、可動框にその平行移動のためのワイヤーの端部を全て固定していること、上記ワイヤーを可動框の上下端に設けたエンドピース内に挿通していること、上記ワイヤーを転向させるためのコーナーピースをスクリーン枠の隅角部に取り付けていることなどに起因して、スクリーンをスクリーン枠に取り付け、あるいはスクリーン枠から取り外すのには、ある程度の手数がかかるという問題があり、一層の簡単化が望まれている。
【０００３】
即ち、特許文献１のスクリーン装置では、上述したように、可動框にその平行移動のためのワイヤーの端部を全て固定し、該ワイヤーを可動框の上下端に設けたエンドピース内に挿通して導出していることから、スクリーン枠からスクリーンを取り外すに際しては、先ず、可動框からワイヤー端を全て取り外し、次いでそれをエンドピースから抜き取らなければならず、更に、上記ワイヤーを転向させるためのコーナーピースをスクリーン枠の隅角部に取り付け、それらに該ワイヤーを挿通しているので、スクリーンを上記ワイヤーと共にスクリーン枠から取り外すに際しては、それらのコーナーピースも取り外す必要があり、作業が繁雑である。
【０００４】
【特許文献１】特開平９−２６８８６１号公報
【発明の開示】
【発明が解決しようとする課題】
【０００５】
本発明の技術的課題は、スクリーンの拡縮方向に挿通したワイヤーを可動框とスクリーン枠との間に張り廻らすことにより可動框の平行移動機構を形成させたスクリーン装置において、平行移動機構を含むスクリーンの組付けを容易にすると同時に、該スクリーンを平行移動機構のワイヤーと共に簡単且つ容易に交換できるようにしたスクリーン装置を提供することにある。
【課題を解決するための手段】
【０００６】
上記課題を解決するため、本発明は、建物開口部に設置するスクリーン枠の側枠に、折り畳みにより拡縮自在としたスクリーンの一端を連結すると共に、該スクリーンの他端を、上記スクリーン枠にガイドさせた開閉操作用の可動框に連結して開閉自在とし、上記可動框を平行移動させるためのワイヤーを上記スクリーンに対してその拡縮方向に向けて挿通してなる平行移動機構を備えたスクリーン装置において、上記スクリーンの両端に固定板を取り付け、該スクリーンの一端の固定板をスクリーン枠の側枠に着脱自在に固定し、スクリーンに挿通して上記側枠側に伸びる上記ワイヤーは、該側枠自体に固定または挿通することなく、上記固定板に固定または該固定板において折り返して転向させ、可動框からそれに対向する対向枠側に伸びるワイヤーは該対向枠またはその近辺の横枠に対して着脱自在とし、あるいは、該ワイヤーをスクリーン枠の一部と共に該枠から着脱自在とし、上記可動框においては、スクリーンの端部に設けた固定板を着脱自在に取り付ける可動框自体にはワイヤーを挿通または固定することなく、上記固定板に沿ってワイヤーを転向させ、上記固定板を取り付けたスクリーンを、上記平行移動機構を構成するワイヤーと共に、上記可動框をガイドするスクリーン枠の横枠に対して着脱自在としたことを特徴とするものである。
【０００７】
上記構成を有するスクリーン装置においては、スクリーンに平行移動機構を構成するワイヤーを挿通しているが、スクリーンの両端に取り付けた固定板をスクリーン枠の側枠及び可動框に着脱自在に固定し、上記ワイヤーは、その両端をのぞいてスクリーン枠及び可動框自体に固定または挿通することなく、上記固定板に固定または挿通しているだけであるため、両固定板及び上記ワイヤーの両端を着脱するだけで、両端に固定板を取り付けたスクリーンを平行移動機構を構成するワイヤーと共にスクリーン枠に対して容易に着脱することができる。
【発明の効果】
【０００８】
以上に詳述した本発明のスクリーン装置によれば、スクリーンの拡縮方向に挿通したワイヤーを可動框とスクリーン枠との間に張り廻らすことにより可動框の平行移動機構を形成させたスクリーン装置において、平行移動機構を含むスクリーンの組付けを容易にすると同時に、該スクリーンを平行移動機構のワイヤーと共に簡単且つ容易に交換することができる。
【発明を実施するための最良の形態】
【０００９】
図１ないし図４は、本発明にかかるスクリーン装置の一実施例を示している。
このスクリーン装置は、防虫、遮光、目隠し、断熱等のために主として窓や出入り口等の建物開口部に取り付けて使用するもので、それらの目的に応じたスクリーン１を開閉自在に張設したスクリーン枠１０が建物開口部にネジ等で固定的に取り付けられる。上記スクリーン枠１０は、建物開口部の四周に固定する必要はなく、ここでは、スクリーン１の一端を固定する側枠１１と、可動框１５の上下端をガイドする上部及び下部の横枠１２，１３とを備えたものとして構成し、上記可動框１５に対向する受け枠を備えることなく、建物開口部の開口部枠をそのままスクリーン枠１０の一部として利用するようにしている。しかしながら、可動框１５に対向してスクリーン１の張設時に該可動框１５が当接する受け枠を建物開口部の開口部枠に固定して設けることもでき、それらを総称して、ここでは対向枠１４と呼ぶことにする。
【００１０】
上記スクリーン１は、例えば、折り畳み可能な防虫ネットによって形成されたもので、多数の平行なプリーツを施すことにより、アコーディオン式に折り畳んで拡縮自在に構成され、このスクリーン１の両端をそれぞれスクリーン枠１０の側枠１１及び可動框１５に着脱自在に取り付けるため、該スクリーン１の両端には、合成樹脂製の固定板２，３を粘着テープにより固定している。固定板２，３の取付手段は、上記粘着テープに限るものではない。そして、一方の固定板２を、スクリーン枠１０の側枠１１に設けた口部が狭い取付溝１１ａに嵌挿し、また、他方の固定板３を可動框１５に設けた口部が狭い取付溝１５ａに嵌挿することにより、上記両固定板２，３をそれぞれ着脱自在に取り付けている。これらの固定板２、３の取り付けは、該固定板に若干の可撓性を持たせておき、口部の狭い取付溝１１ａ，１５ａにそれらを圧入することにより着脱自在とすることができるが、バネ性を有する簡単な留め具等を用いたり、ネジ等を用いて着脱自在に固定することもできる。
【００１１】
上記スクリーン１の一端に設けた固定板３が連結された可動框１５は、その上下端をスクリーン枠１０における上下の横枠１２，１３に摺動自在にガイドさせたものであるが、この可動框１５の上下端部は、以下に説明するところの、可動框の平行移動機構を構成するワイヤー５の一部の連結を離脱させた場合には、スクリーン張設面内での傾倒などにより容易にスクリーン枠から取り外すことができるようにすることが望まれる。但し、上記ワイヤー５をスクリーン枠１０に組み付けられている可動框１５から容易に離脱できる場合には、必ずしも該可動框１５を容易にスクリーン枠１０から取り外せることを必要としない。
【００１２】
上記可動框１５を平行移動させるため、このスクリーン装置においては、該可動框１５の姿勢を常に一定に保持して安定的に平行移動させるための平行移動機構を設けている。この平行移動機構は、１本のワイヤー５を張り廻らして、上記スクリーン１に対してその拡縮方向に向けて３段以上の多段に挿通し、張り廻らしたもので、スクリーン１の弛みや風等による揺らぎを防止するために機能するものである。
【００１３】
さらに具体的に説明すると、この実施例は、図１及び図４の模式図からわかるように、上記ワイヤー５をスクリーン１に４段に挿通したもので、該ワイヤー５は、その一端を下部の横枠１３における対向枠１４の近辺に着脱自在に固定される。図３に示す場合、該ワイヤー５の一端は横枠１３にネジ６で着脱自在に固定しているが、この実施例及び図７に示す実施例のように、下部の横枠１３の一部である分離可能な連結部片１３ａにワイヤー５の一端を固定的に、あるいは着脱自在に連結することもできる。該連結部片１３ａは、横枠１３自体に嵌め合わせ等で該横枠１３を固定したままで取り外し可能に連結するか、建物開口部の開口部枠に直接ネジ等で取り外し可能に固定することにより、横枠１３の本体に対して着脱自在にしたものである。また、上記ワイヤー５の一端は、対向枠１４にネジ等で着脱自在に連結することもできる。
【００１４】
上記横枠１３あるいは上記連結部片１３ａに一端を固定したワイヤー５は、可動框１５の下部に導き、該可動框１５自体には挿通することなく、該可動框１５に固定した固定板３に沿わせて上方に導き、スクリーン１の上部において該固定板３に設けたガイド孔３ａを通してスクリーン１に挿通し、側枠１１側の固定板２のガイド孔２ａを通してその背後に導出している。また、固定板２の背後に導出した上記ワイヤー５は、スクリーンの中間部で固定板２のガイド孔２ｂを通してスクリーン１に挿通することにより、可動框１５側に導入し、その導入部において、該可動框１５に取り付けた固定板３のガイド孔３ｂを通して、該可動框１５の長手方向に沿う上方に転向させ、可動框１５の上端において該可動框１５自体には挿通することなく対向枠１４側に転向させている。
【００１５】
該対向枠１４の上端近辺の上部の横枠１２自体、あるいはそれから分離可能とした連結部片１２ａには、上記ワイヤー５を固定することなくそこで折り返す転向子７を設けている。このワイヤー５の非固定部における転向子７は、該ワイヤー５が伸びている方向に旋回軸部７ｂにおける旋回の軸線を向けた転向子本体７ａに、上記ワイヤー５を巻き掛けるローラ７ｃを備えることにより構成され、上記軸部７ｂを上部横枠１２に旋回自在に支持させている。この転向子７は、上記対向枠１４に旋回軸部７ｂを回転自在に支持させて設けることもできる。この転向子７の旋回は、該転向子７に巻き掛けて往復するワイヤー５の捩れを自動的に解消するために有効に機能するものである。また、図７に示すように、上部の横枠１２の一部である分離可能な連結部片１２ａにワイヤー５を転向させる支持軸１２ｂを設けることができ、あるいは、図１及び図２に示すような転向子７を、該連結部片１２ａに旋回及び着脱自在に連結することもできる。該連結部片１２ａは、前記連結部片１３ａと同様に、横枠１２自体に嵌め合わせ等で連結するか、建物開口部の開口部枠に直接ネジ等で固定することにより、横枠１２の本体に対して着脱自在にしたものである。
【００１６】
上記転向子７において転向させたワイヤー５は、再び可動框１５の上端側に戻され、該上端において可動框１５に挿通することなく、固定板３に沿って前記ガイド孔３ｂよりも下方のガイド孔３ｃのところまで導き、そこで、該ガイド孔３ｃを通してスクリーン１の中間部に挿通し、更に、側枠１１に取り付けた固定板２のガイド孔２ｃを通してその背後に導出し、そのワイヤー５は、スクリーンの下部で固定板２のガイド孔２ｄを通してスクリーン１に挿通することにより可動框１５に導入し、その導入部において、該可動框１５に取り付けた固定板３のガイド孔３ｄを通して、該可動框１５の長手方向に沿う上方に転向させ、可動框１５の上端において該可動框１５自体には挿通することなく対向枠１４側に転向させ、その先端は前記転向子７のローラ７ｃに止着子５ａにより連結している（図２参照）。このワイヤー５の端部の固定は、その始端と同様の取り付け構造で上部の横枠１２における対向枠１４の近辺にネジ等で着脱自在に固定することもできる。
【００１７】
上記固定板２，３に設ける各ガイド孔２ａ〜２ｄ，３ａ〜３ｄとしては、ワイヤー５との摩擦が小さい合成樹脂で形成した鳩目状のものを固定板２，３に設けた小孔に嵌着しておくのが望ましいが、かかる構造に限るものではなく、合成樹脂からなる固定板２，３自体によりガイド孔を構成することもできる。
【００１８】
上記構成を有するスクリーン装置において、スクリーン枠１０からスクリーン１の交換のためにそれを取り外す場合には、図５に例示するように、上記ワイヤー５の両端を横枠１２，１３から連結部片１２ａ，１３ａと共に取り外し、更に、スクリーン１の一端に取り付けている固定板２を側枠１１から取り外すと、可動框１５が上下の横枠１２，１３にガイドされている点を除いて、ワイヤーその他でスクリーン枠１０と連結している部分がなくなるので、可動框１５と共にスクリーン１を横枠１２，１３から取り外すことができる。また、スクリーンの固定板３を可動框１５から取り外すことにより、図６に示すように、固定板２，３を取り付けたスクリーン１にワイヤー５が組み込まれたスクリーン組立体２０を、スクリーン枠１０及び可動框１５から取り外すことができる。
【００１９】
図７及び図８に示す実施例の場合も、図７に示すように、上記ワイヤー５の両端を横枠１２，１３から連結部片１２ａ，１３ａと共に取り外し、更に、スクリーン１の一端に取り付けている固定板２を側枠１１から取り外した状態では、ワイヤーその他でスクリーン枠１０と連結している部分がなくなるので、スクリーン１が連結された可動框１５を上下の横枠１２，１３から取り外すことができる。また、スクリーンの固定板３を可動框１５から取り外すことにより、図８に示すように、スクリーン組立体２０をスクリーン枠１０及び可動框１５から取り外すことができる。
なお、図７及び図８に示す実施例におけるその他の構成及び作用は、図１〜図４を参照して先に説明した実施例の場合と実質的に相違するところがないので、それらについての説明は省略する。
【００２０】
更に、図１及び図７のいずれの実施例の場合においても、横枠１２，１３から分離可能にしている連結部片１２ａ，１３ａの長さを、スクリーン１を折り畳んだスクリーン組立体２０と可動框１５との長さとほぼ同等とし、該連結部片１２ａ，１３ａを取り外した状態でその部分からスクリーン組立体２０及び可動框１５をスクリーン枠１０に出し入れできるように形成しておくことにより、スクリーン１の交換を一層容易に行うことが可能になる。
【００２１】
交換用のスクリーン１は、上記スクリーン組立体２０の形態のものとしてユーザーに提供され、ユーザーにおいては、予めスクリーン組立体を取り外したスクリーン枠１０の側枠１１及び可動框１５に対し、新しいスクリーン１の両端の固定板２，３をそれぞれ取り付け、上記ワイヤー５の両端が連結されている連結部片１２ａ，１３ａを横枠１２，１３に連結するだけで、スクリーン組立体の交換を完了することができる。
【００２２】
図９〜図１１は、本発明における平行移動機構のワイヤー５の他の張り廻らし態様を模式的に示すもので、図９ではスクリーン１に対して３段にワイヤー５を挿通し、図１０では５段、図１１では６段にワイヤー５を挿通している。スクリーンに挿通するワイヤーが奇数段の場合には、ワイヤー５の一端が対向枠１４の近辺に固定され、他端が固定板２に固定されることになる。また、ワイヤー５が偶数段の場合には、その両端が対向枠１４の近辺に固定される。
これらの各実施の態様は、ワイヤー５の挿通の段数が相違するのみでその他の構成は図４の場合と実質的に相違するところがないので、その説明を省略する。
【００２３】
以上に説明した各実施例のスクリーン装置においては、可動框１５の移動に伴って変化するスクリーン１の張設長さに応じて、該スクリーンに挿通されている多段の各ワイヤーの長さが変化することから、その長さ変化に対応してそれを吸収する手段を設ける必要があり、特に、多段にワイヤー５を挿通している場合には、それらの各ワイヤーについての長さ調整が必要になり、その調整手段として、スクリーン１に挿通した各段のワイヤー５を、可動框１５を通してその上部及び下部における転向により横枠１２，１３に沿って対向枠１４側に導く部分において、スクリーン１に挿通したワイヤーの全てを可動框１５の上部及び下部における転向により横枠１２，１３に沿って対向枠１４側に導くようにし、それによって、該可動框１５と対向枠１４との間に、上記側枠１１と可動框１５間に張設した段数と同数だけワイヤーを架け渡しているが、上記調整手段はかかる構成のみに限られるものではない。
【００２４】
即ち、上記調整手段としては、スクリーン１に多段に挿通して可動框１５への導入部で該可動框１５の長手方向に転向させたワイヤーの複数には、可動框１５の移動時に該可動框１５の長手方向に同速で移動するものがあることから、上記可動框１５の長手方向に転向させたワイヤーの一部のみを、可動框１５の上部及び下部における転向によりスクリーン枠１０の横枠１２，１３に沿って対向枠１４側に導き、他の同速のワイヤーはそれに連結するという手段を採用することもでき、これにより、スクリーン１中に挿通されているワイヤーの長さの可動框１５の移動に伴う変化を吸収させることができる。
【図面の簡単な説明】
【００２５】
【図１】本発明に係るスクリーン装置の第１実施例の縦断正面図である。
【図２】上記実施例における上部の横枠の構成を示す水平断面図である。
【図３】上記実施例における下部の横枠の構成を示す水平断面図である。
【図４】上記実施例における平行移動機構のワイヤーの張り廻らしに関する模式的説明図である。
【図５】上記実施例におけるスクリーンの着脱の態様を説明するための水平正面図である。
【図６】同スクリーンの取り外し状態を示す平面図である。
【図７】本発明のスクリーン装置の他の実施例におけるスクリーン着脱の態様を示す縦断正面図である。
【図８】図７の実施例におけるスクリーンを取り外した状態を示す縦断正面図である。
【図９】本発明における平行移動機構のワイヤーの他の張り廻らし態様を模式的に示す説明図である。
【図１０】本発明における平行移動機構のワイヤーの更に他の張り廻らし態様を模式的に示す説明図である。
【図１１】本発明における平行移動機構のワイヤーの更に他の張り廻らし態様を模式的に示す説明図である。
【符号の説明】
【００２６】
１    スクリーン
２，３    固定板
５    ワイヤー
７    転向子
１０    スクリーン枠
１１    側枠
１２，１３    横枠
１４    対向枠
１５    可動框
【図１】
2006183419.tif 000003
【図２】
2006183419.tif 000004
【図３】
2006183419.tif 000005
【図４】
2006183419.tif 000006
【図５】
2006183419.tif 000007
【図６】
2006183419.tif 000008
【図７】
2006183419.tif 000009
【図８】
2006183419.tif 000010
【図９】
2006183419.tif 000011
【図１０】
2006183419.tif 000012
【図１１】
2006183419.tif 000013